(57)【特許請求の範囲】
【請求項１】
患者の手術箇所を覆うための基布と、基布が切り取られた開口部とを備える手術用ドレープにおいて、
前記基布を洗濯可能な素材で構成したこと、
前記開口部は患者の手術箇所を開口内に挿入する、あるいは露出させる形状であること、
開口部から基布の端部まで連続した開閉可能なスリットを形成し、スリットを開閉することにより基布を患者から着脱自在としたこと、
前記スリットを開閉自在に係合する留具をスリットに沿って配置し、スリットの左右一対を重ねて開閉可能に構成したこと、
リユーザブルであること、を特徴とする手術用ドレープ。
【請求項２】
前記留具が、前記スリットを挟んで対向する一組の留具を複数組備えて構成される請求項１に記載の手術用ドレープ。
【請求項３】
前記開口部からのスリットの開始端が、開口部の中心線を外れた箇所に設けられている請求項１または２に記載の手術用ドレープ。
【請求項４】
前記スリットの一方の端部が、離間可能な二枚の基布から構成されており、前記スリットの他方の端部が、離間可能な二枚の基布に挟み込まれて係止される請求項１から３のいずれかに記載の手術用ドレープ。
【請求項５】
前記スリットが解放されることがないように両側のスリットを同時に係止する開き防止部材（８）がドレープの表面側または裏面側に設けられている請求項１から３のいずれかに記載の手術用ドレープ。
【請求項６】
前記開き防止部材（８）が、非透水性の素材からなり、スリット全長に亘りスリットを閉鎖するように設けられている請求項５に記載の手術用ドレープ。
【請求項７】
前記留具が、面状ファスナー、ボタン、スナップおよび／またはフックである請求項１から６のいずれかに記載の手術用ドレープ。
【請求項８】
前記基布が、ポリエステル、綿、ポリアミド、ポリアクリルニトリル、ポリプロピレン、ポリウレタンから選ばれた１またはそれ以上の材質を含む請求項１から７のいずれかに記載の手術用ドレープ。
【請求項９】
前記基布が、防水性、通気性、吸水性、および撥水性のいずれかを有する素材、あるいはこれらのいずれかを組合せた特性を有する素材からなる請求項１から８のいずれかに記載の手術用ドレープ。
【請求項１０】
前記開口部が、穴を有する基布より小片の伸縮性のあるゴムシートにより覆われている請求項１から９のいずれかに記載の手術用ドレープ。
【請求項１１】
前記開口部が、穴を有する基布より小片のバクテリアバリア性シートにより覆われている請求項１から１０のいずれかに記載の手術用ドレープ。
【請求項１２】
前記バクテリアバリア性シートが伸縮性を有している請求項１１に記載の手術用ドレープ。
【請求項１３】
前記バクテリアバリア性シートが、前記基布の裏面および／または表面に重ね合わせて設けられている請求項１１または１２に記載の手術用ドレープ。
【請求項１４】
前記バクテリアバリア性シートが、前記基布の裏面に設けられている請求項１３に記載の手術用ドレープ。
【請求項１５】
前記基布より小片のバクテリアバリア性シートが、前記基布から分離可能である請求項１１から１４のいずれかに記載の手術用ドレープ。
【発明の詳細な説明】
【技術分野】
【０００１】
本発明は、スリットを開閉することで医療器具を装着したままで着脱可能であり、高温水による洗濯が可能な素材からなる基布を備えた衛生的な手術用ドレープに関する。さらに詳しくは、手術用ドレープにおいて、基布を洗濯可能な素材で構成するとともに、患者の手術箇所を露出させるための開口部と基布の端部とを結ぶ線上に連続した開閉可能なスリットを形成した手術用ドレープに関するものである。
【背景技術】
【０００２】
医療現場において、患者に対して手術を行なう場合、または、所定の検査などを行なう場合には、患部からの出血や輸液の飛散による周囲の汚染、術者への感染、患部周辺領域の滅菌などを図る観点から、患者を被包し、患部のみを露出させるために手術用ドレープが用いられる。手術用ドレープは、通常、滅菌された状態で折り畳まれ、パウチ袋などに封入されて医療現場に供給される。
【０００３】
医療分野においては、院内感染防止、コスト削減などの観点から、使い捨てが可能な不織布からなる製品が急速に普及してきている。手術用ドレープも例外ではなく、例えば、ポリエチレンやポリプロピレン系重合体を原料とする不織布が用いられる。不織布を用いた手術用ドレープは通常使い捨てであり、血液や体液などが付着したものは感染性産業廃棄物として処分されている。そこで、医療用に用いられている不織布の材質などを改善することにより、織・編物に近い外観で、ソフトな風合を有しドレープ性に優れ、各種滅菌処理による残留ＥＯＧ除去性に優れ、水や血液などのふき取り性（ワイプドライ性）に優れる特性を有するとともに、産業廃棄性に優れていて焼却が容易で、悪臭・有毒ガスが発生しない医療器具滅菌用不織布が提案されている（特許文献１参照）。
【０００４】
一方、従来の形式の開口部付きの手術用ドレープでは、手術目的に合致した、すなわち、患者のからだの大きさ、術野の形状や寸法などに対して最適な形状および寸法の開口部を有するドレープを用意するには、多種類をストックしておくことが必要となり実質的に不可能であった。そのため、術野開口部の形状や寸法が異なる何種類かのドレープを品揃えしておき、手術に際して、目的のものに比較的近い形状や寸法の開口部を有するドレープを選び使用していた。  
【０００５】
手術の種類によって手術用ドレープに求められる機能は異なるため、各種の手術に対応可能な手術用ドレープが提案されている。例えば、外周端辺部が平面部中央に向かって凹んだ切欠き部を有する１組のドレープユニットを、切欠き部を互いに対向させて接合し、それぞれの外周端辺部の凹んだ部分で囲まれた開口部を有するドレープを形成するドレープユニット（特許文献２参照）や、手術時に開窓部の孔のサイズを所望の大きさに容易に且つ迅速に適宜調整可能とするために、患者の全身を覆い得る程度の大きさを有する基布と、患者の切開箇所を露出させるための孔のサイズ可変の開窓部とから構成され、開窓部は孔における所望の領域を覆い得る大きさを有する複数種類の開窓蓋を備え、孔の所望領域を覆うように基布あるいは補強布に貼付することにより、前記孔のサイズを調整可能としている医療用ドレープ（特許文献３参照）が提案されている。
【０００６】
また、医療用ドレープは、患者への手術が終了した後は取り除かれるが、患部に医療器具が取りつけられたまま手術が終了した場合（例えば、患部である腕に点滴用のラインが確保された場合）には、点滴用のラインが開口部を通過した状態のままであるため、医療用ドレープをその縁部から開口部にかけて切り開かないと、医療用ドレープを患者から排除することはできない。
【０００７】
手術室などにおいては、身近な場所にハサミがあるため、容易に医療用ドレープを切り開くことができるが、病棟などにおいて、簡易的に手術を行なう場合には、身近な場所にハサミなどがない場合がある。そのため、医療用ドレープを切り開くことができない場合が生じる。こうした問題点を解消するに当たり医療用ドレープにおいて、ハサミなどの器具を用いることなく、容易に切り開くことが可能な構造を有する医療用ドレープが提案された。このような医療用ドレープとしては、例えば、開口部が設けられた基布を備え、この基布には、切れ目および補助布から構成される脆弱領域が形成され、この脆弱領域を素手で切裂くことができる衣料用ドレープ（特許文献４、５参照）が挙げられる。
【先行技術文献】
【特許文献】
【０００８】
【特許文献１】特開平７−２３８４４９号公報
【特許文献２】特開２００１−２５２２８７号公報
【特許文献３】特開２００４−８１５６６号公報
【特許文献４】特開２００４−５７５６４号公報
【特許文献５】特開２００８−１６７９４３号公報
【発明の概要】
【発明が解決しようとする課題】
【０００９】
上記従来技術で示すように、従来の手術用ドレープは不織布などを基布として製造されており、基布を含む全ての部品が使い捨ての製品（ディスポーザブル製品）であった。通常、基布は患者の全身を覆うものであり、非常に大きいため、ドレープは自ずと高価なものとなり、医療廃棄物の処理コストが嵩むという課題があった。また、手術用ドレープは、手術室で着用される製品であることから、短時間で容易に取り付けられ、また容易に取り外すことができることは不可欠であるが、手術終了後に、患部に医療器具が取りつけられたままで手術などが終了した場合には、それらの器具を患部につけたままドレープを除去する必要があり、そのためには縁部から開口部にかけてドレープを切り開かなければならなかった。さらに、感染の危険性が少ないドレープの提供が不可欠とされていた。
【００１０】
本発明は、こうした従来技術のこれらの課題を解決することを目標に本発明者らが鋭意開発努力を積み重ねることにより本発明に到達したものであり、手術用ドレープにおいて、基布を洗濯可能とし、開口部はバクテリアバリア性を有する素材を使用して構成し、患者の手術箇所を挿入あるいは露出させる開口部と基布の端部とを結ぶ線上に連続した開閉可能なスリットを形成し、このスリットを開閉することにより基布を患者から着脱自在とすることにより従来の課題が解決されることを見出した。また、開閉自在の長いスリットを設けることにより、ドレープの患者への装着や機器類の設置が簡便となる。さらに、本発明は、洗濯可能とすることにより何回も使用可能とすることにより資源の浪費および医療廃棄物の排出量を削減することができ、且つ、取り付けおよび取り外しの容易性に優れ感染の危険性が極めて低い手術用ドレープを提供することを目的とする。また、本発明者らは、ドレープの中心線にスリットを設けると、手術に使用していると、ドレープのスリット部分が盛り上がりスリット部分で開き易くなること、この開いた部分が汚染の原因となることがあることを見出し、こうした汚染の原因が生起することがないドレープを提供することを本発明の目的とするものである。
【課題を解決するための手段】
【００１１】
本発明は以下の技術的事項から構成される。
（１）患者の手術箇所を覆うための基布と、基布が切り取られた開口部とを備える手術用ドレープにおいて、前記基布を洗濯可能な素材で構成したこと、前記開口部は患者の手術箇所を開口内に挿入する、あるいは露出させる形状であること、開口部から基布の端部まで連続した開閉可能なスリットを形成し、スリットを開閉することにより基布を患者から着脱自在としたこと、前記スリットを開閉自在に係合する留具をスリットに沿って配置し、スリットの左右一対を重ねて開閉可能に構成したこと、リユーザブルであること、を特徴とする手術用ドレープ。
（２）前記留具が、前記スリットを挟んで対向する一組の留具を複数組備えて構成される（１）に記載の手術用ドレープ。
（３）前記開口部からのスリットの開始端が、開口部の中心線を外れた箇所に設けられている（１）または（２）に記載の手術用ドレープ。
（４）前記スリットの一方の端部が、離間可能な二枚の基布から構成されており、前記スリットの他方の端部が、離間可能な二枚の基布に挟み込まれて係止される（１）から（３）のいずれかに記載の手術用ドレープ。
（５）前記スリットが解放されることがないように両側のスリットを同時に係止する開き防止部材（８）がドレープの表面側または裏面側に設けられている（１）から（３）のいずれかに記載の手術用ドレープ。
（６）前記開き防止部材（８）が、非透水性の素材からなり、スリット全長に亘りスリットを閉鎖するように設けられている（５）に記載の手術用ドレープ。
（７）前記留具が、面状ファスナー、ボタン、スナップおよび／またはフックである（１）から（６）のいずれかに記載の手術用ドレープ。
（８）前記基布が、ポリエステル、綿、ポリアミド、ポリアクリルニトリル、ポリプロピレン、ポリウレタンから選ばれた１またはそれ以上の材質を含む（１）から（７）のいずれかに記載の手術用ドレープ。
（９）前記基布が、防水性、通気性、吸水性、および撥水性のいずれかを有する素材、あるいはこれらのいずれかを組合せた特性を有する素材からなる（１）から（８）のいずれかに記載の手術用ドレープ。
（１０）前記開口部が、穴を有する基布より小片の伸縮性のあるゴムシートにより覆われている（１）から（９）のいずれかに記載の手術用ドレープ。
（１１）前記開口部が、穴を有する基布より小片のバクテリアバリア性シートにより覆われている（１）から（１０）のいずれかに記載の手術用ドレープ。
（１２）前記バクテリアバリア性シートが伸縮性を有している（１１）に記載の手術用ドレープ。
（１３）前記バクテリアバリア性シートが、前記基布の裏面および／または表面に重ね合わせて設けられている（１１）または（１２）に記載の手術用ドレープ。
（１４）前記バクテリアバリア性シートが、前記基布の裏面に設けられている（１３）に記載の手術用ドレープ。
（１５）前記基布より小片のバクテリアバリア性シートが、前記基布から分離可能である（１１）から（１４）のいずれかに記載の手術用ドレープ。
【発明の効果】
【００１２】
本発明により、取り付け容易性に優れ、且つ、衛生的な手術用ドレープの提供が可能となる。また、本発明により、手術用ドレープを洗濯可能とすることにより何回にも亘り使用可能とし、資源の浪費が防止され、医療廃棄物の排出量を大幅に削減することができ、且つ、取り付けおよび取り外しの容易性に優れた手術用ドレープを提供することができるとともに、ドレープのバリア性を向上させることにより細菌による感染などの危険性を低減することができる。また、手術用ドレープに要するコストを低減することにより手術経費の節減にも寄与することができる。
例えば、ドレープの円形穴の部分に腕や足を入れ、そのまま医療器具を装着すると、医療器具に引っかかってドレープが抜けなくなってしまうことがあるが、本発明は、医療器具を装着したままでもドレープを外せることができる。また、ドレープを外した後に医療器具を装着することができる場合もあるが、これでは医療の世界で言う不潔になる恐れがあるため、本発明では、ドレープを装着したまま医療器具を装着する方が清潔であり医療現場で好まれている医療器具の装着方法をとることができる。
【図面の簡単な説明】
【００１３】
【図１】本発明の手術用ドレープにおいて、開口部からドレープの端部にまで設けたスリットが閉じられている状態を示す。
【図２】手術用ドレープのスリット部が面ファスナーにより閉じられている部分の断面図を示す。
【図３】図1に示されたドレープのスリット部が開放されている状態を示す。
【図４】スリット部がスナップにより係合される手術用ドレープにおいて、スリット部が解放された状態を示す。
【図５】スリットの一端が二重になりボタンで係合された部分の断面図を示す。
【図６】泌尿器科で使用される手術用全面ドレープの全体図を示す。
【図７】バクテリアバリア性シートを開口部周辺部に設け、開口部を、穴を有する伸縮性ゴムシートで覆ったドレープを示す。
【図８】開口部の周囲を伸縮性のあるバクテリアバリア性シートで構成したＶＡＴＳドレープを示す。
【図９】開口部を、穴を有する伸縮性ゴムシートで覆った上肢穴あきドレープの全体図を示す。
【図１０】開口部から基布の端部にまで設けられたスリットの開口端が、開口の中心線を外れた位置に設けられているドレープ全体図を示す。
【図１１】開口部付近のスリットが解放されることを防止する開き防止部材が設けられているドレープの要部を示す。
【図１２】基布の途中までしか形成されていないスリットが解放されることを防止する開き防止部材がスリットの全面を被覆するように設けられているドレープの要部を示す。
【図１３】開口部を穴あきゴムシートで覆ったドレープにおいて、スリッドの全面が裏面（患者側）からゴムテープで覆われているドレープの全体図を示す。
【発明を実施するための形態】
【００１４】
本発明は、主として胸腔や腹腔などの体腔、消化管や尿管などの管腔部または血管などに挿入して、体液の排出、薬液や造影剤などの注入点滴に用いたりする検査や治療などを行うために使用される手術用ドレープに関するものであり、例えば、体内に挿入する中空の柔らかい細い管であるカテーテルや、体外につながれる回路、チューブ、ラインなどに関連して用いることができる手術用ドレープである。本発明は、患者の手術箇所である患部を露出させるための開口部と、この開口部から伸びるスリットを有するとともに、洗濯可能な基布からなることに特徴を有する手術用ドレープに関する。
【００１５】
本発明の穴あきスリット付のドレープは、リユーザブルであるため手術で使用された後、これを回収し、洗濯、消毒し、検査し、さらに滅菌を行うことにより再度手術で使用することができる。実用的なドレープとしては、これまで、使い捨ての不織布か綿製品のどちらかしか選択肢はなかった。不織布であればゴミ・環境・ＣＯ２の問題がクローズアップされており、また綿製品であれば、血液・体液が透過するため、現在の医療の世界では感染の危険性が高いとされ使用が減ってきている。本発明は、例えば、ポリエステル１００％で高温での洗濯・滅菌に耐えられる素材からなっており、また、一切のピンホールも無い状態にあるため血液の透過することはない。また、織物であるため不織布のように破るとか穴を開けるというような使用方法は出来なくなっているが、不織布などの使用状況に類似させた使用法が採用でき、簡便な脱着を実現するためにスリットを入れて対応した。その他、本発明では、単にスリットを入れるだけでなく、スリット部を重ねることにより、バリア性を保てる状態にした。また、スリットを開口またはドレープの中心線を外して設けることにより、ドレープを装着して手術を行う過程でスリット部が盛り上がり、開口または隙間が生じることが防止できる。さらに、本発明の基布は使用する素材を選定することにより、血液がドレープを経由して体に伝わり患者の体に付着している菌が血液を経由してドクターの手や医療器具に接触し汚染することを防止することができる。
【００１６】
さらに本発明について詳細に説明する。
従来、通常の円形または四角形状の開口部が設けられ、その開口部に腕や足などを入れて、そのまま医療器具を一旦装着すると、手術後には医療器具やチューブ、ラインなどが引っかかってドレープが抜けなくなってしまうことがある。本発明の手術用ドレープはこれらの器具類を装着したままでもドレープを外せるように、開口部と基布の端部とを結ぶ線上に連続した開閉可能なスリットを形成し、スリットを開閉することにより基布を患者から着脱自在とした点に特徴を有する手術用ドレープである。
手術後、ドレープを外した後に術後用の医療器具を装着する場合があるが、そうすると雑菌類の感染の恐れがあるため、ドレープを装着したまま医療潜具を装着する方が清潔であり、病院では好まれている。ドレープが不織布製で引き裂き力に弱い材質であれば、医療器具を装着した後でも、これを破ってドレープを外す事ができるためこのような心配がなかった。
【００１７】
しかしながら、手術用ドレープをリユーザブルとし、手術で使用された後に回収し、洗濯（消毒）し、検査し、滅菌を行い、再度手術で使用するシステムを構築するには従来の手術用ドレープでは不適切でありである。これまで、手術用ドレープでは不織布（使い捨て）か綿製品の選択しかなく、不織布は環境・ＣＯ２の問題から、また、加工処理をしていない綿布単独の製品であれば感染の危険性が高いとされ使用が減ってきている。  そこで、本発明では、ポリエステル、綿、ポリアミド、ポリアクリルニトリル、ポリプロピレン、ポリウレタンなどの高温での洗濯・滅菌に耐えられる素材またはその応用品を使用するものであり、好適には、一切のピンホールも無い状態にある布を採用するものである。このような強固な布からなる手術用ドレープは、当然不織布のように破ることにより穴を開けるとか、手術後に破ることにより穴を広げるというような使用方法は出来なくなってしまう。そこで、本発明では、不織布と同様の使用便宜性にするために、開口部と基布の端部を結ぶ線上にスリットを入れることにより、また、スリットを重ね合わせて係止できるようにすることで従来技術の問題点を解決し、さらに開口部周辺をバクテリアバリア性とすることにより汚染の危険を減少させた。
【００１８】
本発明は、患者を覆うための基布と、基布が切り取られた開口部とを備える手術用ドレープにおいて、基布を洗濯可能な素材で構成したこと、前記開口部は患者の手術箇所を開口内に挿入する、あるいは露出させる形状であること、開口部と基布の端部とを結ぶ線上に連続した開閉可能なスリットを形成し、スリットを開閉することにより基布を患者から着脱自在とした手術用ドレープに関するものである。その構造は、例えば、図１に示されているように、矩形状の一辺が約９０ｃｍの基布１からなり、その中央には直径約１０ｃｍの開口部２が設けられている、開口部２の周辺はバクテリアバリア性シート３が設けられ、血液、微生物などによる汚染を防止している。この開口部２から患者の手術箇所を開口内に挿入するかあるいは露出させる。開口部２から基布１の端部５を結ぶ直線上には基布１およびバクテリアバリア性シート３を切断する長さ約４０ｃｍのスリット４が設けられその端部５から開口部２に至る切断部分は重ね合わされて密封され、スリット４を左右に開くことにより空間を形成することができる。図３はスリット４を左右に開いて広げたところである。スリットを広げることにより形成された空間を通して機器、パイプ、カテーテルなどが患部に接続されまたは取り外される。また、左右のスリットは重なり会ってバリア性能を向上させることにより血液などの漏えいを防止している。バクテリアバリア性シート３の部分には、撥水性と防水性を備え微生物を透過することのないシートが使用される。
【００１９】
手術用のドレープに設けた左右のスリット４は重ね合わせて両者を開閉自在に係合することができる留具が設けられている。この留具は比較的弱い力で係合を解除することができるものであればよく、例えば、面状ファスナー、ボタン、スナップ、フックなどが例示されるが、スリットから液体などの漏洩は防止されなければならない。図１には、面ファスナー４を留め具とする本発明のドレープが例示されている。図２は面ファスナー４ａ、４ｂによる係合部の断面の一例を示したものである。図４にはスナップボタンを留め具として係合する本発明のドレープが例示されている。図５はスナップボタンを留め具とした係合部の断面を示すものであり、この係合部では一方の端部が他方の端部に挟み込まれてスナップボタンにより係合されているため、係合部での強度が増加し、さらに密封性が強化される。
【００２０】
例えば、図７、８、９に示すように、スリット４をドレープの中心線、または開口部の中心線に沿って設けることにより本発明の目的を達成することができる。しかしながら、これらの図面に示されたようなドレープを手術に使用しているとドレープのスリット４に沿っての部分が盛り上がり、ちょうどスリット４の係止部６の間に開口が形成され易くなるためこの部分にできた開口から微生物などの汚染物が侵入することが生ずる恐れがある。このような原因による汚染を防止するには、ドレープの開口部２の中心線７から外れた箇所をスリットの開始端４１とすることにより避けることができる。また、スリット間を係止する係止部６となるドットボタンの設置間隔を小さくすることによっても避けることができる。スリット４の開始端４１を中心線７より移動させて設けた例を図１０に示す。
また、スリット４に沿っての盛り上がりによる開口や隙間の形成は、スリットの接合部に設ける係止具をスリットの端部にできるだけ近づけて、しかも数多く設けることにより、開口や隙間が形成される余地をなくすることにより防止することができる。
【００２１】
また、スリット部４は係止部６により確実に係止して手術中にも開くことがないようにすることが必要である。しかしながら、手術用具の重みなどによりスリット部の係止が外れることがあるため、安全策として、手術中にスリットの解放による汚染、手術の障害となることを防止するために開口近くのスリットが開くことがないように、スリットの解放を防止する器具である開き防止部材８を設置することができる。例えば、スリットの両側６ａ、６ｂ間を、テープなどを利用して、ドットボタン、面ファスナー、フック、接着性のテープなどにより固定することにより安全性を向上させることができる。図１１は開口部２付近のスリット４を布製のテープをドットボタンにより係止した例であり、最も開きやすい部分のみを固定している。
【００２２】
図１２に示した例は、スリット４の全体を覆う布製の開き防止部材８をドットボタンにより固定したものであり、この開き防止部材８はスリット４が解放されることを防止すると共に、スリット４の部分の密閉を強化することになる。
図１３に示した例は、開口部２を、中央に手術用の開口２２を有する伸縮性のゴムシートにより裏側（患者側）から覆ったドレープを裏側から見た図である。スリット４の全長が非透水性の開き防止部材８により覆われている。この例では、開き防止材８としてゴムシート２１と同じ材質のテープが接着剤により接着されている。この開き防止材８は非透水性であることから、水、細菌類などの透過を防止することができる。ドレープの使用後にはゴムシート類は適宜切断されて患者から取り外される。
このように、スリット４には、開き防止作用を有する部材を設けることにより、またスリット４を閉鎖してスリット部分からの汚染の浸透を防止する部材を設けることにより本発明のドレープはさらに衛生的なものとなる。
【００２３】
本発明におけるスリットの長さは、ドレープ全体の大きさ、開口部の大きさ、手術する患部の大きさ位置、患部に接続する機器類、パイプ類の数などに応じて決定されるものである。例えば、図１、３、４に示すように、開口部２から基布の端部５までの全線が切り込まれてスリットとなったドレープや、開口部から基布の端部へ至る線上で、開口部からある程度の長さ（基布の端部にまでは至らない長さ）が切り込まれてスリットとなったドレープ（図６、図１２）が挙げられる。スリットは、必ずしも直線状とする必要はなく、患部の位置、大きさや、機器類の設置位置などに応じた適宜な形状とすることができる。
【００２４】
基布は、防水性、通気性、吸水性、および撥水性のいずれかを有する素材、あるいはこれらのいずれかを組合せた特性を有する素材から選ばれ、開口部周辺に位置する基布には、特に、バクテリアバリア性シートが用いることが好ましい。
基布の材質としては、ポリエステル、綿、ポリアミド、ポリアクリルニトリル、ポリプロピレン、ポリウレタンなどからなり、高温での洗濯・滅菌に耐えられる素材を使用した布が用いられ、好適には、ピンホールが無い状態にある布を採用することが望まれるが、綿などの吸水性を有する布やピンホールのある布であっても撥水加工や樹脂などのコーティング、積層処理により基布として最適な布製品とすることができる (例えば、前記載素材の布製品の加工方法の一例としては、ニット系・ファブリクス系・ラミネート系・コーティングなどである。) 。基布を洗濯して繰り返し使用可能な素材で構成することにより、医療廃棄物を削減することを可能とする。使用後の基布には血液などが付着していることから、感染源とならないよう滅菌、消毒処理（例えば、８０℃の熱水による１０分間の熱水消毒工程）が施されて再利用がなされる。基布には、その表面に菌やウィルスに対するバリア性を奏する処理、例えば、縫製箇所に縫製穴が露出しないように縫製を施すことが好ましい。
【００２５】
本発明で基布として使用に適した布の具体例としては、例えば、ポリエステル製でバリア性、ドレープ性の高いデュポン社製の「ソンタラ」を挙げることができる。さらに好ましくは、撥水性能、防水性能によるバクテリアバリア性を有するシートや織物を開口部の周囲に設けることにより感染の危険性を低下させることができる。このような特性を有する素材としては、例えば、コーティング剤を使用していない透湿性が極めて高く快適な着用感が得られ、しかもリントの発生が大きく抑えられた生地からなり、外部からのバリア性を保持し着用側には通気性を確保する素材（例えば、米国規格ＡＮＳＩ／ＡＡＭＩＰＢ７０のバリア性能分類レベル２をクリアするポリエステルマイクロファイバー製ＣＰＡ素材/ナガイレーベン社製造）、また、生地表面に被膜を形成し、同時に繊維の隙間にまで被膜素材を充填させて防水性と耐久性をほぼ限界にまで高めているためどのような液体または微生物の浸透をも許さない多層構造素材（例えば、米国規格ＡＮＳＩ／ＡＡＭＩＰＢ７０のバリア性能分類レベル４をクリアするＣＰＸ素材/ナガイレーベン社製造、また同様にレベル４をクリアするゴアメディカルファブリクス素材/ジャパンゴアテックス社製造）を挙げることができる。
【００２６】
また、開口部には穴を有する完全防水性の伸縮性のゴムシートにより覆うことも可能である。ゴムシートはバクテリアバリア性を有するものであるとともに、その開口部を広げることにより患部に機器類を容易に装着することができ、装着が終った後には自然と開口部が元に戻るため開口面積が少なくなり体液などの流出による汚染を減少することができる。これらの、バクテリアバリア性を有する素材は、特に、ドレープの開口部周辺に利用することにより感染の危険性を低減することができ、それ以外の部分は撥水処理をした織物、シート類であってもよい。
【００２７】
基布の、例えば略円形状に形成されている開口部の周辺部分は、患者の体液などにより汚染されやすい場所であるから、特にバクテリアバリア性を必要とするために上記した素材を設けることが好ましい。さらに開口部分には補強のための素材を付属させることや、液体吸収性などの特性を調整することができる。補強シートは、患部の位置に略円形状の穴が形成されており、この穴は基布開口部に位置を合わせて設けられ、開口部の縁部の補強がなされる。例えば、表面が吸水性に富んだ素材により構成し、裏面側は防水性の富んだ材料により構成したシートを基布表面に設けることにより、患者への液体の付着が防止され、周囲の汚染、術者への感染などを確実に防ぐことが可能となる。また、このシートを基布の裏面側に設けて、患者側に補強シートの防水面を向けることにより患者の体液が基布に浸透しないようにすることができる。バクテリアバリア性シートにより補強性を付与することもできる。
【００２８】
バクテリアバリア性シートと補強シートとしては、吸水、防水、撥水性、通気性などの特性を有する素材から選ばれて適宜組み合わせて使用され、例えば、吸水／防水、撥水／防水、防水／耐久性を有する素材類が組み合わされて用いられるが、用途、必要とする特性に応じて単層構造、二重構造、または三重構造以上の積層構造とし、特性の違う各層を組み合わせることにより各種の手術に適用可能とすることができる。例えば、織物生地の両表面に樹脂フィルムをラミネートした三層構造を有し、樹脂フィルムが耐滅菌性・耐アルカリ性を有するポリエステルトリコットからなり、織物生地が無機質のシリコンを充填した無機質フィルムからなるシート、および、優れた撥水性能、防水性能を有するポリエステルフィラメントからなる生地であってリントの発生が大きく抑えられているシートなどがあげられる。
【００２９】
次に、泌尿器系の手術用に特別に構成された本発明の手術用ドレープについて説明すると、泌尿器科の分野においては、多くのものが尿失禁を治療し得るよう構成された、ニードルや糸通しや結紮キャリアを使用して、様々な治療を行っている。ドレープに開口部と接続されたスリットを設け開閉可能にすることでニードルや糸通しや結紮キャリアを設置または取り外しすることが容易となる。
泌尿器科で使用されるスリットドレープの一例を図６に示す。例示したドレープは全面ドレープであり、手術用ドレープは手術する患部周辺を中心に着脱自在に設けられている。本発明のドレープは図６に示されるように、開口部２と開口部２からスリット４が形成されたスリット４は基布１の端部には達していない。また、基布より小片のバクテリアバリア性シート７を備え、基布１とシート７は同じ大きさの開口部２を形成しており、開口部２は基布１とシート７が貫通したものである。開口部２は患者の手術箇所のみを開口内に挿入し露出させる形状または大きさである。開口部２から基布１の端部に向かう方向に沿って形成されたスリット４は左右一対が重なるように開閉可能に構成し、基布は洗濯可能な素材で構成している。
【００３０】
本発明のドレープは、心臓外科、脳外科、眼科、カテーテル検査、泌尿器科、産婦人科や関節鏡・整形外科などいずれの手術や処置においても使用される。例えば、受水袋付腹腔鏡下胆嚢摘出用ドレープ、吸水パッド付き眼科用手術用ドレープなど手術ごとに適した種類が用意され、また、手術部位全体を一枚で覆う全面ドレープで、手術部位や手術方法に合わせてその大きさや孔の形状大きさが異なる種類のものを取り揃えられ、コードホルダーやポケットなどが取り付けられた種類などがあるが、本発明のドレープはいずれのものにも適用できる。
本発明のドレープでは、必要な部分のみをスリット入りとして取り外し自在にとすることができる。例えば、図７に示したドレープのバクテリアバリア性シート３の部分を着脱自在とし、基布１および基布１に設けられたスリット４との接続を可能とすることができる。
次に、本発明の詳細を実施例により説明するが、本発明は何ら実施例に限定されるものではない。
【実施例１】
【００３１】
本実施例の手術用ドレープを図１に示す。これは手術する患部を主にカバーするドレープの一例であり、横幅８２ｃｍ、縦幅９０ｃｍのポリエステル製布帛（デュポン社製ソンタラ）を基布１とし、その中央部には直径１０ｃｍの開口部２が形成されている。開口部２の基布裏面側にはバクテリアバリア性シート３が重ね合わされて開口部２と同じ大きさの開口が切り取られている。バクテリアバリア性シート３は患者から出た体液などが基布１に含浸しないように撥水、防水処理され水や微生物の透過が防止されている。開口部２の下端から基布の端部６に至る全線上において、基布２およびバクテリアバリア性シート３に切り込みを入れられてスリット４が形成されている。このスリット４を左右に開いた状態で、患部に機器類、コード、パイプ、カテーテルなどが接続され、また取り外される。スリット４は、左右の端部を重ね合わせることにより閉鎖され、密封を可能とした。スリット４の左右の端部には面ファスナー４ａ、４ｂを備えてスリット４の係合に用いる。図１は面ファスナー４ａ、４ｂが係合した状態を示し、図２はそのときの面ファスナー４ａ、４ｂを含むスリット部の断面を示す。図３は、面ファスナー４ａ、４ｂの係合が解かれスリット４開かれた状態を示す。
【実施例２】
【００３２】
本実施例は、実施例１において、係合部材として複数のスナップ６ａ、６ｂをスリット４の左右の端面に設けスリット４を開閉自在にした具体例を図４に示す。
【実施例３】
【００３３】
本実施例の泌尿器科における手術に使用されるドレープの一例を図６に示す。この手術用ドレープは全面ドレープであり、患者の全身を覆うための基布１と、バクテリアバリア性シート７とから構成され、バクテリアバリア性シート７には、開口部２および指嚢穴（図示せず）が設けられている。基布１は表面に撥水処理が施されたポリエステル製布からなり、上端辺の横幅が約２００ｃｍ、上端辺から下端辺までの長さは約２５０ｃｍである。基布１の中央部には、直径約５ｃｍの開口部２とその下方に位置する直径約４ｃｍの指嚢穴（図示せず）とが設けられている。開口部２の周囲で基布１の上層には、横幅が約４０ｃｍ、縦幅が約５０ｃｍのバクテリアバリア性シート７が設けられている。基布１の上端辺と補強シートの上端辺まで距離は約１１５ｃｍである。開口２からはスリット４が基布１および補強シート７を切断して設けられ、その長さは開口２から上方に１０ｃｍの長さである。
【実施例４】
【００３４】
本実施例は図７に示すように、整形手術などに使用される２８０×２１０ｃｍの大きさのドレープであり、基布１のほぼ中央部には１５０×６０ｃｍのバクテリアバリア性シート３が設けられ、開口部２は伸縮性のあるゴムシート２１で覆われている。バクテリアバリア性シート３は完全防水の生地からなり高い圧力をかけても液体が透過しないレベル４クラスの生地であってＣＰＸ素材からなっている。開口部２は２５×２５ｃｍの大きさからなり、中央部にφ３ｃｍの開口２２を有するゴムシート２１より覆われている。ゴムシート２１はバクテリアバリア性シート３と同様の完全防水性能を有している。スリット４は、開口部２からドレープの端部まで設けられ、スリットの左右は重なり会って係合し、体液・バクテリアなどの漏えいを防止している。
【実施例５】
【００３５】
本実施例は図８に示すように、全身用の穴あきドレープであり主に腹部などの手術用に用いられる例である。バクテリアバリア性シート３はドレープの腹部に相当する位置に１２７×１３６ｃｍの大きさでその中央上部には２５×２５ｃｍの開口部２が設けられている。基布１は撥水処理されたポリエステル製布からなり、バクテリアバリア性シート３はレベル４クラスのＣＰＸ素材からなっている。開口２は力を加えて外側に延伸している間は３０×３０ｃｍの大きさに拡大することができる。開口側でのスリットの開始端４１は、開口２またはドレープの中心線７上に設けられている。
【実施例６】
【００３６】
本実施例は図９に示すように、整形用の穴あきドレープであり、バクテリアバリア性シート３が１００×７０ｃｍの大きさで設けられ、その中央上部には２０×２０ｃｍの開口部２が設けられている。この開口部２は中央にφ３ｃｍの開口２２が設けてある開口部２よりは大きめのゴムシート２１により覆われている。基布１は撥水処理されたポリエステル製布からなり、バクテリアバリア性シート３は実施例４と同様の素材からなっている。本実施例においても、開口側でのスリットの開始端４１は、開口２またはドレープの中心線７上に設けられている。本実施例のドレープを手術に使用した際には、スリット部が盛り上がり若干の開口や隙間が生じる場合がみられたが、実用上の支障はなかった。
【実施例７】
【００３７】
本実施例は、実施例５と同様の全身用の穴あきドレープであり主に腹部などの手術用に用いられる例である。図１０に示されるように、開口側でのスリットの開始端４１は、開口２またはドレープの中心線７を外れた位置に設けられていて、スリット４の開始端４１は開口周端部２３が伸びるように設けられている。本実施例のドレープを手術に使用した際には、スリット部が盛り上がり開口や隙間が生じることはなかった。
【実施例８】
【００３８】
図１１に示す実施例は、穴あきドレープの開口２にスリット４が形成され、開口側でのスリットの開始端４１は、開口２またはドレープの中心線７を外れた位置に設けられていて、スリット４の開始端４１は開口周端部２３の延長上にある。さらに、スリット６ａ、６ｂ間で開くことがないように開き防止部材８が２か所設けられ、ドットボタン８１により係止されている。
【実施例９】
【００３９】
図１２に示す実施例は、穴あきドレープの開口２にスリット４がドレープの基布の端部にまでは達しないで途中まで形成されている例である。短いスリット４の全長を開き防止部材８でもって覆い、開き防止材８とスリット４の両端面とをドットボタン８１、８２で固定することにより、スリット４を確実に閉鎖している。
【実施例１０】
【００４０】
本実施例は図１３に示すように、整形用の穴あきドレープであり、バクテリアバリア性シート３が１００×７０ｃｍの大きさで設けられ、その中央上部には２０×２０ｃｍの開口部２が設けられている。この開口部２は中央にφ３ｃｍの開口２２が設けてある開口部２よりは大きめのゴムシート２１により覆われている。基布１は撥水処理されたポリエステル製布からなり、バクテリアバリア性シート３は実施例４と同様の素材からなっている。  本実施例においては、スリット４は、ドレープの裏側（患者側）からゴムシート２１と同質の材料から作製されたテープが接着されて封鎖されている。
【産業上の利用可能性】
【００４１】
本発明は、スリットを開閉することで医療器具の着脱を簡便に行なうことが可能であるとともに、高温水による洗濯が可能な素材からなる基布を備えた手術用ドレープに関するものであり、例えば、脳外科用（Ｕ型含む）、肩関節鏡半座位用、眼科用、婦人科用、牽引・ＣＨＳ用、経皮的腎結石破砕術用、整形外科用のドレープに適用可能であり、特に患部にさまざまな機器類を装着した手術を行なう用途に好適である。本発明は、基布を洗濯可能な素材で構成するとともに、患者の手術箇所を露出させるための開口部と基布の端部とを結ぶ線上に連続した開閉可能なスリットを形成した繰返し使用可能な手術用ドレープに関するものであり、従来の使い捨てドレープと比較して、一回の手術に要するドレープの費用を低く抑えることができるとともに、ドレープの廃棄処理費用を低減し、廃棄処理の際のＣＯ２の発生、大気汚染を減少させることができる。
【符号の説明】
【００４２】
１：  基布
２：  開口部
２１：ゴムシート
２２：ゴムシートの開口（穴）
２３：開口周端部
３、７：  バクテリアバリア性シート
４：  スリット
４１：スリット開始端
４ａ、４ｂ：  面ファスナー、ボタン
５：基布端部
６ａ、６ｂ：ボタンを設けたスリット
７：開口あるいはドレープの中心線
８：開き防止部材
８１、８２：ボタン
【図１】
0005818723.tif 000002
【図２】
0005818723.tif 000003
【図３】
0005818723.tif 000004
【図４】
0005818723.tif 000005
【図５】
0005818723.tif 000006
【図６】
0005818723.tif 000007
【図７】
0005818723.tif 000008
【図８】
0005818723.tif 000009
【図９】
0005818723.tif 000010
【図１０】
0005818723.tif 000011
【図１１】
0005818723.tif 000012
【図１２】
0005818723.tif 000013
【図１３】
0005818723.tif 000014